(57)【要約】【課題】標準姿勢でない縦姿勢での使用時においても高い操作性が得られる電子機器を提供する。【解決手段】撮像装置１Ａは、縦位置コントロールグリップ７が装着された撮像装置１Ａを縦姿勢で把持している右手に係る特定の指(例えば親指)が届く範囲内に配設されて割り当て機能のカスタマイズが可能なカスタムキーＣ１〜Ｃ３と、撮像装置１Ａに関する姿勢を検出する姿勢検出センサとを備えている。そして、姿勢検出センサの検出結果に基づき撮像装置１Ａが横姿勢(標準姿勢)と判断される場合には、例えばメモリに記憶される第１機能をカスタムキーＣ１〜Ｃ３に割り当てる一方、撮像装置１Ａが縦姿勢(非標準姿勢)と判断される場合には、メモリに記憶される第２機能をカスタムキーＣ１〜Ｃ３に割り当てる。これにより、標準姿勢でない縦姿勢での使用時においても高い操作性が得られる。【選択図】図３
2008242212.tif 000002
【特許請求の範囲】
【請求項１】
電子機器であって、
(a)前記電子機器を縦姿勢で把持している右手に係る特定の指が届く範囲内に配設され、割り当て機能のカスタマイズが可能な操作部材と、
(b)前記割り当て機能として前記操作部材に設定されている第１機能と第２機能との情報を記憶する記憶手段と、
(c)前記電子機器に関する姿勢の情報を取得する姿勢情報取得手段と、
(d)前記姿勢の情報に基づき前記電子機器が横姿勢と判断される場合には、前記操作部材に前記第１機能を割り当てる一方、前記姿勢の情報に基づき前記電子機器が前記縦姿勢と判断される場合には、前記操作部材に前記第２機能を割り当てる機能割当制御手段と、
を備え、
前記横姿勢と前記縦姿勢とは、前記電子機器を使用する際の標準姿勢と非標準姿勢とに対応していることを特徴とする電子機器。
【請求項２】
請求項１に記載の電子機器において、
前記操作部材は、前記電子機器を横姿勢で把持している右手に係る前記特定の指が届く範囲内に配設されていることを特徴とする電子機器。
【請求項３】
請求項１に記載の電子機器において、
前記電子機器を前記非標準姿勢で使用する際に用いる補助具の装着が可能となっており、
前記操作部材は、前記補助具が装着された電子機器を縦姿勢で把持している右手に係る前記特定の指が届く範囲内に配設されていることを特徴とする電子機器。
【請求項４】
請求項１に記載の電子機器において、
前記姿勢情報取得手段は、
(c-1)前記電子機器の姿勢を検出する姿勢検出センサと、
(c-2)前記姿勢検出センサでの検出結果に基づき、前記姿勢の情報を取得する手段と、
を有することを特徴とする電子機器。
【請求項５】
請求項１に記載の電子機器において、
前記操作部材は、押下操作が可能であるとともに、前記押下操作に関する押下時間の相違に応じて第１の押下状態と第２の押下状態とを区別して検出することが可能となっており、
前記姿勢情報取得手段は、
(c-3)前記第１の押下状態を前記横姿勢に関連付けるとともに前記第２の押下状態を前記縦姿勢に関連付けて、前記姿勢の情報を取得する手段、
を有することを特徴とする電子機器。
【発明の詳細な説明】
【技術分野】
【０００１】
本発明は、割り当て機能のカスタマイズが可能な操作部材を備えた電子機器に関する。
【背景技術】
【０００２】
撮像装置(電子機器)においては、横姿勢(標準姿勢)での使用時(例えば撮影時)だけでなく縦姿勢での使用時にも操作性の向上を図るため、それぞれの姿勢に応じて特定のキーに割り当てられる機能を自動的に変更させるものがある（例えば特許文献１や特許文献２)。
【０００３】
しかし、上述の撮像装置では、横姿勢および縦姿勢で設定される各割り当て機能は固定化されているため、その割り当て機能をユーザがカスタマイズできず、不便である。
【０００４】
一方、特定のキーに割当てられる機能をカスタマイズできる撮像装置としては、例えば特許文献３に開示されるものがある。この撮像装置では、ユーザにとって利用頻度の高い所定の機能を操作部材（特定のキー等）に割り当て、当該操作部材を操作することによって、所望の機能を簡易に実現できるようになっている。
【０００５】
【特許文献１】特開２００６−３３７２４号公報
【特許文献２】特開２００６−１４５７６１号公報
【特許文献３】特開２００２−２６２１５２号公報
【発明の開示】
【発明が解決しようとする課題】
【０００６】
しかしながら、上記の特許文献３の撮像装置においては、割り当て機能のカスタマイズが可能な操作部材の位置について十分な考慮がなされているとは言えない。
【０００７】
例えば、特許文献３の撮像装置においては、割り当て機能のカスタマイズ可能な操作部材が背面左側に設けられている。ユーザは主に右手を用いて撮像装置の本体部右側を把持することが多いが、このような場合に当該操作部材を操作するには、他の部分（レンズ部分等）を把持していた左手（多くの場合利き手でない）を使ったり、あるいは一旦右手による把持状態を解除した後に右手を使うことになるため、操作性が良好とは言えない。このことは、横姿勢(標準姿勢)における撮像装置の使用時に限らず、標準姿勢でない縦姿勢での使用時においても同様である。
【０００８】
本発明は、上記課題に鑑みてなされたものであり、標準姿勢でない縦姿勢での使用時においても高い操作性が得られる電子機器を提供することを目的とする。
【課題を解決するための手段】
【０００９】
本発明の１つの側面は、電子機器であって、(a)前記電子機器を縦姿勢で把持している右手に係る特定の指が届く範囲内に配設され、割り当て機能のカスタマイズが可能な操作部材と、(b)前記操作部材において前記割り当て機能として設定されている第１機能と第２機能との情報を記憶する記憶手段と、(c)前記電子機器が横姿勢であるのか前記縦姿勢であるのかの姿勢の情報を取得する姿勢情報取得手段と、(d)前記姿勢の情報に基づき前記電子機器が前記横姿勢と判断される場合には、前記操作部材に前記第１機能を割り当てる一方、前記姿勢の情報に基づき前記電子機器が前記縦姿勢と判断される場合には、前記操作部材に前記第２機能を割り当てる機能割当制御手段とを備え、前記横姿勢と前記縦姿勢とは、前記電子機器を使用する際の標準姿勢と非標準姿勢とに対応していることを特徴とする。
【発明の効果】
【００１０】
本発明によれば、電子機器を縦姿勢で把持している右手に係る特定の指が届く範囲内に配設され割り当て機能のカスタマイズが可能な操作部材に対して、電子機器に関する姿勢の情報に基づき電子機器が横姿勢と判断される場合には、記憶手段に記憶される第１機能を割り当てる一方、姿勢の情報に基づき電子機器が縦姿勢と判断される場合には、記憶手段に記憶される第２機能を割り当てる。その結果、標準姿勢でない縦姿勢での使用時においても高い操作性が得られる。
【発明を実施するための最良の形態】
【００１１】
＜第１実施形態＞
＜撮像装置の要部構成＞
図１および図２は、本発明の第１実施形態に係る撮像装置１Ａの外観構成を示す図である。図１は、縦位置コントロールグリップ７を装着した撮像装置（横姿勢）１Ａの背面外観図であり、図２は、撮像装置１Ａの上面外観図である。この撮像装置１Ａは、レンズ交換式一眼レフレックスタイプのデジタルカメラとして構成されており、電子機器として機能する。なお、図１においては、横姿勢での撮影における右手の指ＦＧを併せて示している。
【００１２】
図２等に示すように、撮像装置１Ａは、カメラ本体部（カメラボディ）２を備えている。また、このカメラ本体部２に対して、交換式の撮影レンズユニット（交換レンズ）３が着脱可能である。
【００１３】
撮影レンズユニット３は、主として、鏡胴３６、ならびに、鏡胴３６の内部に設けられるレンズ群３７（図４参照）及び絞り等によって構成される。レンズ群３７には、光軸方向に移動することによって焦点位置を変更するフォーカスレンズ等が含まれている。
【００１４】
カメラ本体部２は、撮影レンズユニット３が装着される円環状のマウント部を正面略中央に備え、撮影レンズユニット３を着脱するための着脱ボタン８９を円環状のマウント部付近に備えている。
【００１５】
また、カメラ本体部２は、正面左端部（背面から見て右側）にユーザが把持するためのグリップ部１４を備えている。グリップ部１４の上面前側には露光開始等を指示するためのシャッターボタン１１が設けられている。グリップ部１４の内部には電池収納室とカード収納室とが設けられている。電池収納室にはカメラの電源として、例えば４本の単３形乾電池が収納されており、カード収納室には撮影画像の画像データを記録するためのメモリカード９０（図４参照）が着脱可能に収納されるようになっている。
【００１６】
シャッターボタン１１は、半押し状態（Ｓ１状態）と全押し状態（Ｓ２状態）との２つの状態を検出可能な２段階検出ボタンである。シャッターボタン１１が半押しされＳ１状態になると、被写体に関する記録用静止画像（本撮影画像）を取得するための準備動作（例えば、ＡＦ制御動作およびＡＥ制御動作等）が行われる。また、シャッターボタン１１がさらに押し込まれてＳ２状態になると、本撮影の撮影動作（撮像素子５（後述）を用いて被写体像に関する露光動作を行い、その露光動作によって得られた画像信号に所定の画像処理を施す一連の動作）が行われる。
【００１７】
図１において、カメラ本体部２の背面略中央上部には、光学ファインダ１０が設けられている。光学ファインダ１０には、撮影レンズユニット３からの被写体像が導かれる。ユーザは、光学ファインダ１０を覗くことによって、被写体を視認することができる。より具体的には、撮影レンズユニット３を通過してきた被写体像を、ミラー機構６(図４参照)で上方に反射させ、ペンタプリズムを通した像を接眼レンズを介して見ることで、被写体像を視認することができる。このように、光学ファインダ１０を用いて構図決めを行うことが可能である。なお、本撮影時においては、ミラー機構６は被写体像の光路から待避し、撮影レンズユニット３からの光がシャッタ４（図４参照）の開放タイミングに合わせて撮像素子５に到達し、被写体に係る撮影画像（撮影画像データ）が得られる。
【００１８】
カメラ本体部２の背面の略中央（より詳細には若干左寄りの位置）には、背面モニタ１２が設けられている。背面モニタ１２は、例えばカラー液晶ディスプレイ（ＬＣＤ）として構成される。背面モニタ１２は、撮影条件等を設定するためのメニュー画面を表示したり、再生モードにおいてメモリカード９０に記録された撮影画像を再生表示したりすることが可能な表示部である。
【００１９】
カメラ本体部２の背面右下部、より詳細には背面モニタ１２の右下部には、メインスイッチ８１が設けられている。メインスイッチ８１はレバー式スイッチとして構成され、メインスイッチ８１のレバー部を左方の「ＯＦＦ」位置に設定すると、電源がオフになり、当該レバー部を右方の「ＯＮ」位置に設定すると、電源がオンになる。
【００２０】
カメラ本体部２の背面右上部、より詳細には背面モニタ１２の右側には、マルチセレクタ８３が設けられている。このマルチセレクタ８３は、ジョイスティックタイプの操作部材であり、そのスティック部８３ｅを上下左右の４方向に傾ける操作をそれぞれ検出することが可能であるとともに、当該スティック部８３ｅの押下操作をも検出することが可能である。
【００２１】
また、カメラ本体部２の背面右上部、より詳細には背面モニタ１２の右側かつマルチセレクタ８３の上側には、後側コマンドダイヤル８２と、ＡＦ／ＭＦコントロールボタン８４と、ＡＥロックボタン８５と、再生ボタン８６とが設けられている。
【００２２】
後側コマンドダイヤル８２は、回転式の操作部材であり、その回転操作に応じて各種の設定内容を変更することが可能である。
【００２３】
ＡＦ／ＭＦコントロールボタン８４は、オートフォーカス（ＡＦ）とマニュアルフォーカス（ＭＦ）との切り換え指示を受け付けるボタンである。撮影状態において、このボタン８４を押下するごとに、オートフォーカス（ＡＦ）とマニュアルフォーカス（ＭＦ）とが順次に切り替わる。
【００２４】
ＡＥロックボタン８５は、撮影時において自動露光動作によって調整された露光状態を固定する「ＡＥロック」の指示を受け付けるボタンである。ＡＥロックボタン８５は、フラッシュ撮影時には「スローシンクロボタン」としても機能する。また、ＡＥロックボタン８５は、再生時においては、再生対象画像の削除すべき旨の削除指示を受け付ける「削除ボタン」としても機能する。
【００２５】
再生ボタン８６は、再生モードへの変更指示を受け付けるボタンである。換言すれば、再生ボタン８６は、再生モードへの変更指示機能（再生モードの呼出機能）が割り付けられたボタンである。撮影モードにおいて再生ボタン８６が押下されると、撮影装置１は再生モードに移行し、撮影済み画像が背面モニタ１２に表示される。
【００２６】
また、カメラ本体部２の背面右側部、より詳細には背面モニタ１２の右側には、ユーザによる押下操作が可能な３つの押しボタン式のカスタムキー（カスタムボタン）Ｃ１，Ｃ２，Ｃ３が配置されている。各カスタムキーＣ１〜Ｃ３は、ユーザによって機能を可変的に割り当てることが可能なハードキーである。換言すれば、各カスタムキーＣ１〜Ｃ３は、割り当て機能のカスタマイズが可能な操作部材である。これらのカスタムキーＣ１，Ｃ２，Ｃ３については後述する。
【００２７】
また、カメラ本体部２の背面左側部、より詳細には背面モニタ１２の左側には、メニューボタン８７と、ファンクションボタン８８ａと、メモリー切換ボタン８８ｂと、画質調整ボタン８８ｃと、画面切換ボタン８８ｄとが設けられている。
【００２８】
メニューボタン８７は、メニュー画面の表示機能（呼出機能）を実現するボタンである。メニューボタン８７が押下されると、各種設定を行うための複数の項目を有するメニュー画面が背面モニタ１２に表示される。
【００２９】
ファンクションボタン８８ａは、上記メニュー画面に含まれる複数の項目のうちの一部の項目に関するサブメニュー画面を背面モニタ１２に表示させる機能（呼出機能）を実現するボタンである。例えば、撮影時にファンクションボタン８８ａが押下されると撮影用のメニュー画面が背面モニタ１２に表示され、再生時にファンクションボタン８８ａが押下されると再生用のメニュー画面が背面モニタ１２に表示される。
【００３０】
メモリー切換ボタン８８ｂは、撮影画像の記録先の記録媒体（メモリカード等）を切り換えるボタンである。この撮像装置１Ａにおいては、複数の種類のメモリカードを撮像装置１Ａ内の各所定位置にいずれも装填しておくことが可能である。メモリー切換ボタン８８ｂの押下操作等によれば、複数の種類のメモリカードが装填された場合にいずれの種類のメモリカードを記録先として選択するかを予め設定しておくことができる。
【００３１】
画質調整ボタン８８ｃは、記録画像の画質（スタンダード、ファイン、ＲＡＷ等）を選択的に設定するためのボタンである。記録画像の画質は、圧縮（ＪＰＥＧ圧縮等）の有無を切り換えること、あるいは圧縮記録時の圧縮率を切り換えることによって、変更される。
【００３２】
画面切換ボタン８８ｄは、再生画像に重畳的に撮影情報を表示させるか否か、および重畳的に表示する撮影情報の内容を切り換えるボタンである。例えば、画面切換ボタン８８ｄの押下によって、再生画像のみを表示する画面と、再生画像上に文字情報を重畳的に表示させる画面と、輝度に関するヒストグラムを再生画像上に重畳的に表示させる画面とを、選択的且つ循環的に切り換えることが可能である。
【００３３】
また、図２に示すように、カメラ本体部２の上面には、モード設定ボタン９２と、ライトボタン９３と、ホワイトバランスボタン９４ａと、ＩＳＯ感度ボタン９４ｂと、露出補正ボタン９４ｃと、調光補正ボタン９４ｄと、液晶表示パネル９６とが設けられている。また、シャッターボタン１１の前側には、前側コマンドダイヤル９１が設けられている。
【００３４】
前側コマンドダイヤル９１は、回転式の操作部材であり、その回転操作に応じて各種の設定内容を変更することが可能である。
【００３５】
モード設定ボタン９２は、カメラの各種モードの設定動作（切替動作）を行うための操作部材である。モード設定ボタン９２を押下するごとに、設定内容が順次に（且つ循環的に）変更され、設定内容が決定される。このようなモード設定ボタン９２の押下操作によって、各種撮影モード（具体的には、Ｐモード（プログラムモード）、Ａモード（絞り優先モード）、Ｓモード（シャッタスピード優先モード）、Ｍモード（マニュアルモード）、人物撮影モード、風景撮影モード、およびフルオート撮影モード等）のうちから、所望のモードを選択することができる。
【００３６】
ホワイトバランスボタン９４ａは、ホワイトバランスの調整を行うためのボタンであり、ＩＳＯ感度ボタン９４ｂは、ＩＳＯ感度の調整を行うためのボタンである。露出補正ボタン９４ｃは、画像全体の明るさを補正する露出補正を行うためのボタンであり、調光補正ボタン９４ｄは、フラッシュの発光量を調整する調光補正を行うためのボタンである。
【００３７】
液晶表示パネル９６は、現在の各種設定内容を表示する表示部である。液晶表示パネル９６のバックライトのオンおよびオフは、ライトボタン９３の押下操作に応じて変更される。
【００３８】
また、後側コマンドダイヤル８２あるいは前側コマンドダイヤル９１を操作することによれば、各種撮影モードにおける制御値を設定することが可能である。例えば、Ｓモード（シャッタスピード優先モード）においては、前側コマンドダイヤル９１の回転操作によって複数段階の設定可能値の中から所望のシャッタスピードを選択することが可能である。さらに、ＩＳＯ感度ボタン９４ｂの押下後に、前側コマンドダイヤル９１を回転させることによって、複数段階の設定可能値の中から所望の値を選択してＩＳＯ感度値を設定することが可能である。同様に、ホワイトバランスボタン９４ａと前側コマンドダイヤル９１との組合せ、露出補正ボタン９４ｃと前側コマンドダイヤル９１との組合せ、あるいは、調光補正ボタン９４ｄと前側コマンドダイヤル９１との組合せによっても、同様の設定操作でそれぞれのボタンに対応する設定内容を決定することが可能である。なお、前側コマンドダイヤル９１に代えて後側コマンドダイヤル８２を使用することによっても同様の設定操作を行うことが可能である。
【００３９】
また、上述の各ボタン８４，８５，８６，８７，８８ａ〜８８ｄ，９２，９３，９４ａ〜９４ｄ等の周辺領域または当該各ボタン自体には、それぞれ、当該各ボタンに固定的に割り当てられている機能の内容が文字あるいは図形（マーク）等で示されている。これらの表示内容は、カメラ本体部２の該当部分にシルク印刷処理等によって付着されている。例えば、再生ボタン８６の中央部には、再生機能（再生モードの呼出機能）を表す図形がシルク印刷されている。また、メニューボタン８７の中央部には、「ＭＥＮＵ」の４文字がシルク印刷されている。
【００４０】
縦位置コントロールグリップ７は、撮像装置１Ａの非標準姿勢に対応する縦姿勢で撮像装置１Ａを使用する際に用いる補助具として機能し、撮像装置１Ａに対して着脱自在となっている。
【００４１】
図３は、縦位置コントロールグリップ７を装着した撮像装置１Ａを示す背面外観図であり、縦姿勢での使用状態を示している。以下では、図３を参照しつつ、縦位置コントロールグリップ７の構成を説明する。
【００４２】
縦位置コントロールグリップ７は、シャッターボタン７９（不図示）とモード設定ボタン７２とマルチセレクタ７３とＡＦ／ＭＦコントロールボタン７４とＡＥロックボタン７５とを備えている。
【００４３】
シャッターボタン７９は、シャッターボタン１１と同様の構成を有しており、図３に示す縦姿勢において縦位置コントロールグリップ７の上面から若干下がった位置（図１の横姿勢では右側面から若干左側に入った位置）に設けられている。シャッターボタン７９は、奥行き方向においては前側の位置に設けられている。図３においては、縦姿勢での撮影における右手の各指ＦＧの位置が併せて示されている。シャッターボタン７９は、撮像装置１Ａの縦姿勢において、シャッターボタン１１と同様の操作感で撮影開始指示等を入力することが可能である。この実施形態における縦姿勢での撮影においては、このシャッターボタン７９を右手の人差し指で押下する状況を前提とする。
【００４４】
また、モード設定ボタン７２、マルチセレクタ７３、ＡＦ／ＭＦコントロールボタン７４およびＡＥロックボタン７５は、それぞれ、モード設定ボタン９２（図２参照）、マルチセレクタ８３（図１参照）、ＡＦ／ＭＦコントロールボタン８４およびＡＥロックボタン８５と同様の構成を有しており、同様の機能を実現する。これらの操作部材７２〜７５は、縦姿勢における背面右側に配置されており、高い操作性を有している。
【００４５】
縦位置コントロールグリップ７がカメラ本体部２に装着された状態において、縦位置コントロールグリップ７とカメラ本体部２との両者が電気的に接続され、各種操作部材７２〜７５の押下状態等が全体制御部１０１(図４参照)に伝達されるように構成されている。そのため、ユーザは、縦姿勢による撮影の際、各操作部材７２，７３，７４，７５，７９を操作することによって、それぞれ対応する操作部材９２，８３，８４，８５，１１による操作で実現される機能と同様の機能を実現することが可能である。
【００４６】
次に、図４を参照しながら、撮像装置１Ａの機能ブロックについて説明する。図４は、撮像装置１Ａの機能構成を示すブロック図である。なお、縦位置コントロールグリップ７が撮像装置１Ａに装着される場合には、電気的接点(例えばコネクタ)７０を介して撮像装置１Ａと縦位置コントロールグリップ７との間で情報伝達が行われる。
【００４７】
図４に示すように、撮像装置１Ａは、操作部８０、全体制御部１０１、フォーカス制御部１２１、ミラー制御部１２２、シャッタ制御部１２３、タイミング制御回路１２４、およびデジタル信号処理回路５０等を備える。
【００４８】
操作部８０は、シャッターボタン１１（図２参照）を含む各種ボタンおよびスイッチ等を備えて構成される。操作部８０に対するユーザーの入力操作に応答して、全体制御部１０１が各種動作を実現する。
【００４９】
全体制御部１０１は、マイクロコンピュータとして構成され、主にＣＰＵ、メモリ、及びＲＯＭ等を備える。全体制御部１０１は、ＲＯＭ内に格納されるプログラムを読み出し、当該プログラムをＣＰＵで実行することによって、各種機能を実現する。例えば、全体制御部１０１は、ＡＦモジュール２０およびフォーカス制御部１２１等と協動して、フォーカスレンズの位置を制御する合焦制御動作を行う。全体制御部１０１は、ＡＦモジュール２０によって検出される被写体の合焦状態に応じて、フォーカス制御部１２１を用いてＡＦ動作を実現する。なお、ＡＦモジュール２０は、ミラー機構６を介して進入してきた光を用いて、位相差方式等の合焦状態検出手法により被写体の合焦状態を検出することが可能である。
【００５０】
フォーカス制御部１２１は、全体制御部１０１から入力される信号に基づいて制御信号を生成しモータＭ１を駆動することによって、撮影レンズユニット３のレンズ群３７に含まれるフォーカスレンズを移動する。また、フォーカスレンズの位置は、撮影レンズユニット３のレンズ位置検出部３９によって検出され、フォーカスレンズの位置を示すデータが全体制御部１０１に送られる。このように、フォーカス制御部１２１および全体制御部１０１等は、フォーカスレンズの光軸方向の動きを制御する。
【００５１】
ミラー制御部１２２は、ミラー機構６が光路から退避した状態（ミラーアップ状態）とミラー機構６が光路を遮断した状態（ミラーダウン状態）との状態切替を制御する。ミラー制御部１２２は、全体制御部１０１から入力される信号に基づいて制御信号を生成しモータＭ２を駆動することによって、ミラーアップ状態とミラーダウン状態とを切り替える。
【００５２】
シャッタ制御部１２３は、全体制御部１０１から入力される信号に基づいて制御信号を生成しモータＭ３を駆動することによって、シャッタ４の開閉を制御する。
【００５３】
タイミング制御回路１２４は、撮像素子５等に対するタイミング制御を行う。
【００５４】
撮像素子（例えばＣＭＯＳセンサ）５は、光電変換作用により被写体の光像を電気的信号に変換して、撮像画像に係る画像信号を生成する。撮像素子５は、タイミング制御回路１２４から入力される駆動制御信号（蓄積開始信号および蓄積終了信号）に応答して、受光面に結像された被写体像の露光（光電変換による電荷蓄積）を行い、当該被写体像に係る画像信号を生成する。また、撮像素子５は、タイミング制御回路１２４から入力される読出制御信号に応答して、当該画像信号を信号処理部５１へ出力する。また、タイミング制御回路１２４からのタイミング信号（同期信号）は、信号処理部５１及びＡ／Ｄ（アナログ／デジタル）変換回路５２にも入力される。
【００５５】
撮像素子５で取得された画像信号は、信号処理部５１において所定のアナログ信号処理が施され、当該アナログ信号処理後の画像信号はＡ／Ｄ変換回路５２によってデジタル画像データ（画像データ）に変換される。この画像データは、デジタル信号処理回路５０に入力される。
【００５６】
デジタル信号処理回路５０は、Ａ／Ｄ変換回路５２から入力される画像データに対してデジタル信号処理を行い、撮像画像に係る画像データを生成する。デジタル信号処理回路５０は、黒レベル補正回路５３、ホワイトバランス（ＷＢ）回路５４、γ補正回路５５及び画像メモリ５６を備える。
【００５７】
黒レベル補正回路５３は、Ａ／Ｄ変換回路５２が出力した画像データを構成する各画素データの黒レベルを基準の黒レベルに補正する。ＷＢ回路５４は、画像のホワイトバランス調整を行う。γ補正回路５５は、撮像画像の階調変換を行う。画像メモリ５６は、生成された画像データを一時的に記憶するための、高速アクセス可能な画像メモリであり、複数フレーム分の画像データを記憶可能な容量を有する。
【００５８】
本撮影時には、画像メモリ５６に一時記憶される画像データは、全体制御部１０１によってカードＩ／Ｆ１３２を介してメモリカード９０に記憶される。
【００５９】
また、画像メモリ５６に一時記憶される画像データは、全体制御部１０１によって適宜ＶＲＡＭ１３１に転送され、背面モニタ１２に画像データに基づく画像が表示される。これによって、撮影画像を確認するための確認表示（アフタービュー）、および撮影済みの画像を再生する再生表示等が実現される。
【００６０】
さらに、撮像装置１Ａは、通信用Ｉ／Ｆ１３３を有しており、当該インターフェイス１３３の接続先の機器（例えば、パーソナルコンピュータ等）とデータ通信をすることが可能である。
【００６１】
また、撮像装置１Ａは、フラッシュ４１、フラッシュ制御回路４２、およびＡＦ補助光発光部４３を備えている。フラッシュ４１は、被写体の輝度不足時等に利用される光源である。フラッシュ４１の点灯の有無および点灯時間等は、フラッシュ制御回路４２および全体制御部１０１等によって制御される。ＡＦ補助光発光部４３は、ＡＦ用の補助光源である。ＡＦ補助光発光部４３の点灯の有無および点灯時間等は、全体制御部１０１等によって制御される。
【００６２】
また、撮像装置１Ａは、その姿勢を検出する姿勢検出部１３６を備えている。姿勢検出部１３６は、例えば水銀スイッチや重力センサ、加速度センサ等として構成された姿勢検出センサを有している。この姿勢検出部１３６での検出結果に基づき、全体制御部１０１では、撮像装置１Ａを使用する際の標準姿勢に対応した横姿勢（図１）であるのか、撮像装置１Ａを使用する際の非標準姿勢に対応した縦姿勢（図３）であるのかの姿勢の情報が取得される。
【００６３】
さらに、撮像装置１Ａは、不揮発性メモリ１３５を備えている。不揮発性メモリ１３５には、撮像装置１Ａにおける各種設定内容（例えば後述するカスタムキーＣ１〜Ｃ３に設定される機能の内容）等が記憶される。
【００６４】
＜カスタムキーの配置について＞
次に、カスタムキーＣ１，Ｃ２，Ｃ３（図１参照）の配置について説明する。上述したように、各カスタムキーＣ１〜Ｃ３は、割り当て機能のカスタマイズが可能な操作部材である。
【００６５】
図１に示すように、各カスタムキーＣ１〜Ｃ３は、撮像装置１Ａの背面の右側領域内に配置されている。詳細には、各カスタムキーＣ１，Ｃ２，Ｃ３は、背面右側領域のうち、右側周縁部（例えば背面右側領域の右端１／４領域）を除いた領域に配置されている。また、各カスタムキーＣ１〜Ｃ３は、背面右側領域のうち、上側周縁部（例えば背面右側領域の上端１／４領域）を除いた領域に配置されている。したがって、各カスタムキーＣ１〜Ｃ３は、背面右側領域のうち右側周縁部と上側周縁部との両領域を除いた領域に配置されていることになる。
【００６６】
また、図１に示すように、各カスタムキーＣ１〜Ｃ３は、背面モニタ１２よりも右側に配置されており、より詳細には、背面モニタ１２の右側周辺領域に配置されている。
【００６７】
ここにおいて、ユーザは、撮像装置１Ａの底面が地面に対して比較的水平に近い姿勢（標準姿勢）である横姿勢で撮影動作を行う際には、撮像装置１Ａの右側に設けられたシャッターボタン１１に右手の人差し指を触れさせ、当該右手で撮像装置１Ａの本体（詳細には右側部（グリップ部１４等））を把持して構図決めを行うことが多い。なお、本明細書では、原則として、標準姿勢（図１参照）を基準に左右上下を規定するものとする。
【００６８】
図１および図２においては、右手の指ＦＧ等の位置が併せて示されている。図１等では、撮像装置１Ａの標準姿勢による撮影において、その途中で再生ボタン８６を押下している右手親指の位置が示されている。なお、撮像装置１Ａの標準姿勢での撮影において、シャッターボタン１１を押下する時点では、右手親指は、図１に示す位置に存在してもよいが、誤操作を防止する観点からは、図１に示す位置よりも若干低い位置（例えばカスタムキーＣ１の右側真横かつ再生ボタン８６の真下付近）に存在することが好ましい。
【００６９】
このような標準姿勢による撮影を行うに際して、各カスタムキーＣ１〜Ｃ３は撮像装置１Ａの背面右側領域内に配置されているため、各カスタムキーＣ１〜Ｃ３は右手の指（特に右手親指）によって良好に操作される。特に、各カスタムキーＣ１〜Ｃ３は背面モニタ１２の右側周辺領域に配置されているため、右手親指による操作性が非常に良好である。
【００７０】
また、各カスタムキーＣ１〜Ｃ３は、撮像装置１Ａの標準姿勢での撮影においてユーザが標準姿勢の撮像装置１Ａを右手を用いて把持するとき、当該右手の親指以外の部分の把持状態を実質的に変更することなく右手親指の関節（第１関節、第２関節および第３関節の少なくとも１つ以上）を動かすことによって対象操作部材に対する当該右手親指による操作が可能な範囲（以下、標準姿勢における「優良操作性領域」ないし「１等地」とも称する）に配置されている、とも表現される。標準姿勢における「優良操作性領域」は、例えば、図１において破線で囲まれる楕円領域ＡＲ１として表現される。また、この「優良操作性領域」の位置および大きさは、例えば、標準的な成人男性の手指の大きさを基準にして決定される。
【００７１】
よって、ユーザは、右手（詳細には手のひら）による把持状態を解除することなく且つ右手の把持部分をほとんどずらすこともなく、右手親指のみを移動することによって、各カスタムキーＣ１〜Ｃ３を押下操作することが可能であり、非常に高い操作性を得ることが可能である。すなわち、ユーザは、右手による撮像装置１Ａの把持状態を実質的に変更することなく、右手親指を所望のカスタムキーの位置へと移動させて当該カスタムキーを押下することができるので、高い操作性を得ることができる。なお、このような高い操作性は、右手のみを用いて（すなわち片手で）撮像装置１Ａを把持している場合にも得ることができ、右手と左手との両方を用いて（すなわち両手で）撮像装置１Ａを把持している場合にも得ることができる。
【００７２】
そして、このような高い操作性を有する各カスタムキーＣ１，Ｃ２，Ｃ３に、それぞれ、他の操作部材８４，８５，８６，８７，８８ａ〜８８ｄ，９２，９３，９４ａ〜９４ｄ等のいずれかの機能を割り当てることが可能である。例えば、カスタムキーＣ１にファンクションボタン８８ａの機能を割り当てること、カスタムキーＣ２にＩＳＯ感度ボタン９４ｂの機能を割り当てること、および／または、カスタムキーＣ３に再生ボタン８６の機能を割り当てることなどが可能である。
【００７３】
したがって、撮像装置１Ａを横姿勢(標準姿勢)で把持している右手における特定の指（例えば親指）が届く範囲内に配設されたカスタムキーＣ１〜Ｃ３への操作によって、当該カスタムキーに割り当てられた機能を実現することが可能である。その結果、ユーザは非常に高い操作感を得ることができる。
【００７４】
また、上記においては、各カスタムキーＣ１〜Ｃ３が、「優良操作性領域」内に配置されている場合を例示しているが、これに限定されない。
【００７５】
例えば、カスタムキーＣ１〜Ｃ３を、次述する「中操作性領域」内に配置するようにしてもよい。これによっても、高い操作性を得ることができる。
【００７６】
ここで、標準姿勢における「中操作性領域」は、ユーザが標準姿勢の撮像装置１Ａを右手を用いて把持するとき、右手の親指以外の把持部分の把持位置および／または把持角度をずらして把持状態を実質的に変更することによれば、対象操作部材に対する右手親指による操作が可能になる範囲（領域）を意味するものとする。換言すれば、標準姿勢における「中操作性領域」は、ユーザが標準姿勢の撮像装置を右手を用いて把持するとき、対象操作部材を右手親指で操作するためには、右手親指以外の右手による把持状態を実質的に変更する必要がある領域であるとも表現される。なお、上述の背面右側領域は、このような「中操作性領域」の一部または全部と上述の「優良操作性領域」との両方を含む領域であるとも表現される。
【００７７】
これに対して、カスタムキーＣ１〜Ｃ３を、標準姿勢における「低操作性領域（次述）」に配置することも考えられる。例えば、カスタムキーＣ１〜Ｃ３を背面モニタ１２の左側周辺領域に配置することも考えられる。
【００７８】
ここで、標準姿勢における「低操作性領域」は、ユーザが標準姿勢の撮像装置１Ａを右手を用いて把持するとき、対象操作部材を右手親指で操作するためには、右手（詳細には手のひらの大部分以上）を撮像装置１Ａから離すことなどによりその把持状態を実質的に解除する必要がある領域を意味するものとする。この「低操作性領域」は、「２等地」とも称される。なお、上述の「中操作性領域」は、この「低操作性領域（２等地）」と上述の「優良操作性領域（１等地）」との中間の操作性を有する領域であることから、「１．５等地」とも称される。
【００７９】
しかしながら、より高い操作性を得るためには、このような「低操作性領域（２等地）」にカスタムキーＣ１，Ｃ２，Ｃ３を配置するよりも、「中操作性領域（１．５等地）」にカスタムキーＣ１，Ｃ２，Ｃ３を配置することが好ましい。また、さらに高い操作性を得るためには、カスタムキーＣ１，Ｃ２，Ｃ３を「優良操作性領域（１等地）」に配置することが特に好ましい。
【００８０】
以上では、撮像装置１Ａの底面が地面に対して比較的水平に近い横姿勢で、撮影動作が行われる際の操作性について説明してきた。
【００８１】
次に、撮像装置１Ａの底面が地面に対して比較的垂直に近い姿勢である縦姿勢(図３参照)で、撮影動作が行われる際の操作性について説明する。
【００８２】
図３に示す縦姿勢による撮影の際に、カスタムキーＣ２，Ｃ３は、楕円領域ＡＲ２内に配置されている。換言すれば、カスタムキーＣ２，Ｃ３は、縦姿勢における「優良操作性領域」（次述）に配置されている。したがって、縦姿勢での撮影においても、カスタムキーＣ２，Ｃ３の押下操作による非常に高い操作性を得ることができる。ここで、縦姿勢における「優良操作性領域」（「１等地」とも称する）は、撮像装置１Ａの縦姿勢での撮影においてユーザが縦姿勢の撮像装置１Ａを右手を用いて把持するとき、当該右手の親指以外の部分の把持状態を実質的に変更することなく右手親指の関節（第１関節、第２関節および第３関節の少なくとも１つ以上）を動かすことによって対象操作部材に対する当該右手親指による操作が可能な範囲を意味するものとする。
【００８３】
したがって、カスタムキーＣ２，Ｃ３は、標準姿勢（横姿勢）における「優良操作性領域」（例えば、図１の領域ＡＲ１）と縦姿勢における「優良操作性領域」（例えば、図３の領域ＡＲ２）との積領域（ＡＮＤ領域ないし重複領域）に配置されていることになる。そのため、いずれの姿勢においても当該カスタムキーＣ２，Ｃ３を非常に良好な操作性で操作することができる。
【００８４】
また、カスタムキーＣ１は、縦姿勢における「中操作性領域」（「１．５等地」とも称する）に配置されている。したがって、縦姿勢での撮影においても、カスタムキーＣ１を用いた良好な操作を行うことができる。なお、縦姿勢における「中操作性領域」は、ユーザが縦姿勢の撮像装置を右手を用いて把持するとき、右手の親指以外の把持部分の把持位置および／または把持角度をずらして把持状態を実質的に変更することによれば、対象操作部材に対する右手親指による操作が可能になる範囲（領域）を意味するものとする。
【００８５】
以上のように各カスタムキーＣ１〜Ｃ３は、縦位置コントロールグリップ７が装着された撮像装置１Ａを縦姿勢で把持している右手における特定の指（例えば親指）が届く範囲内に配設されている。これにより、縦姿勢の撮像装置１Ａを右手で把持したまま、縦位置コントロールグリップ７のシャッターボタン７９を右手の指（例えば人差し指）で操作できるとともに、ユーザが所望する機能が割り当てられたカスタムキーＣ１〜Ｃ３を右手の指（例えば親指）で容易に操作できることとなる。その結果、縦姿勢での操作性向上を一層図れる。
【００８６】
また、カスタムキーＣ２，Ｃ３は、このような縦姿勢による撮影の際に、図３の縦姿勢における右側領域（すなわちシャッターボタン７９に近い側の右半領域）に配置されている。このように、カスタムキーは、横姿勢における背面右側領域と縦姿勢における背面右側領域との積領域に配置されることが好ましい。これによれば、いずれの姿勢においても当該カスタムキーを良好な操作性で操作することができる。
【００８７】
ところで、撮像装置１Ａの横姿勢において、再生ボタン８６は背面右上部に設けられており、再生ボタン８６自身も非常に操作しやすい部位（詳細には、標準姿勢（横姿勢）における「優良操作性領域（１等地）」内）に配置されている。したがって、ユーザは、撮像装置１Ａの横姿勢で撮影する際には、再生ボタン８６を用いて再生モードへの変更指示機能を非常に高い操作性で実行することが可能である。
【００８８】
しかしながら、撮像装置１Ａの縦姿勢においては、再生ボタン８６は左端領域に位置することになるため（図３参照）、再生ボタン８６を右親指で操作する際の操作性は良好ではない。なお、縦姿勢における「低操作性領域」は、ユーザが縦姿勢の撮像装置を右手を用いて把持するとき、対象操作部材を右手親指で操作するためには、右手（詳細には手のひらの大部分以上）を撮像装置から離すことなどによりその把持状態を実質的に解除する必要がある領域を意味するものとする。
【００８９】
これに対して、カスタムキーＣ２，Ｃ３は、縦姿勢においても右親指による良好な操作性を得ることが可能な範囲（例えば「優良操作性領域（１等地）」）に存在する。
【００９０】
したがって、カスタムキーＣ２（またはＣ３）に再生ボタン８６の機能を割り当てておけば、ユーザは、撮像装置１Ａの縦姿勢で撮影する際には、カスタムキーＣ２（またはＣ３）を用いて再生モードへの変更指示機能を実行することが可能である。
【００９１】
このように、横姿勢における「優良操作性領域（１等地）」内に存在する再生ボタン８６の機能を、縦姿勢における「優良操作性領域（１等地）」内に存在するカスタムキーＣ２（またはＣ３）に割り当てることが可能である。そして、この場合、横姿勢では再生ボタン８６を用い縦姿勢ではカスタムキーＣ２（またはＣ３）を用いた操作を行うことによって、横姿勢および縦姿勢の双方において、高い操作性を得ることが可能である。特に、再生ボタン８６が縦姿勢での「優良操作性領域（１等地）」に存在しない場合でも、縦姿勢においてはカスタムキーＣ２（またはＣ３）を用いた操作を行うことによって、縦姿勢でも非常に高い操作性を得ることが可能である。
【００９２】
以上のように配置される各カスタムキーＣ１〜Ｃ３についての機能割り当てについて、以下で説明する。
【００９３】
＜カスタムキーの重畳的機能割り当てについて＞
各カスタムキーＣ１〜Ｃ３には、当該撮像装置１Ａの他の操作部材に固定的に割り当てられている機能を重畳的に割り当てることが可能となるように、この撮像装置１Ａは構成されている。当該他の操作部材（すなわち、機能が固定的に割り当てられている操作部材であって割当機能のカスタマイズが不可能な操作部材）を、機能固定操作部材Ｎ１とも称する。機能固定操作部材Ｎ１としては、上述の設定用の各種ボタン８４，８５，８６，８７，８８ａ〜８８ｄ，９２，９３，９４ａ〜９４ｄ等が例示される。
【００９４】
例えば、再生ボタン８６に割り当てられた機能（すなわち再生モードへの変更指示機能）は、再生ボタン８６への割り当てが継続されたまま（換言すれば再生ボタン８６への割り当てが無効化されることなく）カスタムキーＣ３にも割り当て可能である。すなわち、再生ボタン８６に固定的に割り当てられている機能は、カスタムキーＣ３に対して重畳的に割り当て可能である。
【００９５】
そして、再生ボタン８６の機能がカスタムキーＣ３にも割り当てられた場合には、再生モードへの変更指示を行うための操作として、再生ボタン８６の押下操作およびカスタムキーＣ３の押下操作のいずれをも用いることが可能である。したがって、再生モードへの変更指示機能を簡易な操作で実現するために、必ずしもカスタムキーＣ３を用いることを要さず、適宜に再生ボタン８６（機能固定操作部材Ｎ１）を用いることも可能である。この場合、操作の任意性が高いため、ユーザにとって便利である。例えば、カスタムキーＣ３への割り当て内容についてのユーザの記憶が曖昧でありユーザに迷いが生じるときなどにおいては、再生ボタン８６を用いて確実に当該機能を呼び出すことが可能である。特に、再生ボタン８６には当該ボタンの機能を示す図形が付されているので、視覚的に判りやすい。
【００９６】
また、撮像装置１Ａでは、各カスタムキーＣ１〜Ｃ３に複数の機能を割り当てられるように構成されている。具体的には、撮像装置１Ａの横姿勢と縦姿勢とで異なる機能を各カスタムキーＣ１〜Ｃ３に割り当てることが可能である。以下では、この機能割り当てに関する撮像装置１Ａの動作を説明する。
【００９７】
図５は、カスタムキーＣ１〜Ｃ３の割り当て機能に関する設定変更動作を示すフローチャートであり、図６〜図１１は、背面モニタ１２に表示される各種画面Ｇ１１〜Ｇ１６をそれぞれ示す図である。これらの図を参照しながら、当該設定変更動作について説明する。ここでは、縦姿勢での「カスタムキーＣ３」に「再生キー」の機能を割り当てる場合について例示するが、他の割り当て動作についても同様である。
【００９８】
まず、ユーザがメニューボタン８７を押下すると、撮像装置１Ａは背面モニタ１２にメニュー画面Ｇ１１（図６）を表示する（ステップＳＰ１１）。
【００９９】
その後、ユーザが、複数の選択肢の中から所望の選択肢すなわち「カスタムキー変更」を選択する（ステップＳＰ１２）と、撮像装置１Ａは、「カスタムキー変更」を行うべき旨の指示入力がされたものとみなし、背面モニタ１２に画面Ｇ１２（図７）を表示する。
【０１００】
画面Ｇ１２には、現時点での割り当て状態が示されている。詳細には、３つのカスタムキーＣ１〜Ｃ３のそれぞれについて、撮像装置１Ａの横姿勢に対する割り当て内容と撮像装置１Ａの縦姿勢に対する割り当て内容とが示されている。図７では、カスタムキーＣ１について「画サイズ」が横姿勢に関して割り当てられており、「ストロボ」が縦姿勢に関して割り当てられている。また、カスタムキーＣ２について「ＷＢ」が横姿勢に関して割り当てられており、「メニュー」が縦姿勢に関して割り当てられている。そして、カスタムキーＣ３については、横姿勢および縦姿勢に関して同じ「ＩＳＯ」が割り当てられている。
【０１０１】
次に、ユーザは、画面Ｇ１２内に表示される選択肢の中から、マルチセレクタ８３を用いて、変更対象（カスタマイズ対象）のカスタムキー（ここではカスタムキーＣ３）を選択する（ステップＳＰ１３）。当該選択操作に応答して、撮像装置１Ａは、変更対象として選択されたカスタムキーを特定した後に、変更対象となる撮像装置の「姿勢」を選択するための画面Ｇ１３（図８）を背面モニタ１２に表示する。
【０１０２】
ユーザは、画面Ｇ１３に表示される選択肢の中から、マルチセレクタ８３を用いて、変更対象となる撮像装置１Ａの「姿勢」（ここでは「たて」）を選択する（ステップＳＰ１４）。当該選択操作に応答して、撮像装置１Ａは、変更対象として選択された姿勢を特定した後に、割り当て可能な機能をリスト表示する画面Ｇ１４（図９）を背面モニタ１２に表示する。なお、このリスト表示については、リスト式、プルダウン式、ラジオボタン式などの表示形態を採用することが可能である。
【０１０３】
ユーザは、画面Ｇ１４に表示される選択肢の中から、マルチセレクタ８３を用いて、割り当てるべき機能を選択する（ステップＳＰ１５）。
【０１０４】
この選択操作に応答して、撮像装置１Ａは、割り当て対象としてユーザによって選択された機能を特定し、選択内容を確認する画面Ｇ１５（図１０）を表示する（ステップＳＰ１６）。図１０の画面Ｇ１５においては、「縦姿勢でのカスタムキーＣ３に再生キーをアサインする」という設定内容で良いか否かを確認すべき旨が表示されている。
【０１０５】
ユーザによって設定内容が正しくない旨が入力されると、ステップＳＰ１５に戻り、再び割り当て機能の再選択動作に移行する。一方、ユーザによって設定内容が正しい旨が入力されると、ステップＳＰ１７に進む。
【０１０６】
ステップＳＰ１７においては、撮像装置１Ａは、ステップＳＰ１３で選択されたカスタムキーの、ステップＳＰ１４で選択された撮像装置１Ａの姿勢に対して、ステップＳＰ１５で選択された機能を割り当てるべく、新たな設定内容を記憶する。詳細には、不揮発性メモリ１３５内に記憶されていた設定内容を新たな設定内容で上書きして、設定内容を更新する。換言すれば、不揮発性メモリ１３５には、割り当て機能としてカスタムキーに現時点で設定されている横姿勢での機能(第１機能)と縦姿勢での機能(第２機能)との情報が記憶されることとなる。その後、撮像装置１Ａは、「カスタムキー変更」動作を終了し、背面モニタ１２はメニューボタン８７押下前の表示状態に戻る（ステップＳＰ１８）。
【０１０７】
上記のような設定変更動作が終了すると、図１１に示す画面Ｇ１６のようにカスタムキーの割り当て内容が変更されている。当該設定変更後においては、新たな割り当て内容に依拠し、各カスタムキーＣ１〜Ｃ３の押下に応答して、押下されたキーおよび当該キー押下時の撮像装置１Ａの姿勢（横姿勢または縦姿勢）に対応する機能が実行される。
【０１０８】
以上のように各カスタムキーＣ１〜Ｃ３に２つの機能が設定された撮像装置１Ａの動作を、以下で説明する。
【０１０９】
＜撮像装置１Ａの動作＞
図１２は、撮像装置１Ａの基本的な動作を示すフローチャートである。本動作については、撮像装置１Ａの全体制御部１０１により実行される。
【０１１０】
まず、ユーザがメインスイッチ８１を操作して電源がオンにされると、撮像装置１Ａを起動するための処理(初期化処理)が行われる(ステップＳＴ１１)。
【０１１１】
ステップＳＴ１２では、撮影モードに設定されているかを判定する。すなわち、撮像装置１Ａの姿勢に応じてカスタムキーＣ１〜Ｃ３の割り当て機能を変更することが必要な撮影モードが選択されているか、それ以外のモード(例えば姿勢検出が不要な再生モード)が選択されているかを判断する。ここで、撮影モードに設定されている場合には、ステップＳＴ１３に進み、撮影モードに設定されていない場合には、本フローを終了する。
【０１１２】
ステップＳＴ１３では、撮像装置１Ａが縦姿勢であるかを判定する。すなわち、姿勢検出部１３６により撮像装置１Ａの姿勢を検出し、縦姿勢であるか否かを判断する。ここで、縦姿勢である場合には、ステップＳＴ１４に進み、縦姿勢でなく横姿勢の場合には、ステップＳＴ１５に進む。
【０１１３】
ステップＳＴ１４では、各カスタムキーＣ１〜Ｃ３に対して縦姿勢での機能を割り当てる処理を行う。例えば、図１１に示す機能設定がなされている場合には、不揮発性メモリ１３５に記憶される「ストロボ」、「メニュー」、「再生」の各機能がカスタムキーＣ１〜Ｃ３に割当てられる。
【０１１４】
ステップＳＴ１５では、各カスタムキーＣ１〜Ｃ３に対して横姿勢での機能を割当てる処理を行う。例えば、図１１に示す機能設定がなされている場合には、不揮発性メモリ１３５に記憶される「画サイズ」、「ＷＢ」、「ＩＳＯ」の各機能がカスタムキーＣ１〜Ｃ３に割当てられる。
【０１１５】
このようにステップＳＴ１４およびステップＳＴ１５では、姿勢検出部１３６の検出結果に基づき撮像装置１Ａが横姿勢と判断される場合には、不揮発性メモリ１３５に記憶される横姿勢での機能(第１機能)を各カスタムキーＣ１〜Ｃ３に割り当てる一方、姿勢検出部１３６の検出結果に基づき撮像装置１Ａが縦姿勢と判断される場合には、不揮発性メモリ１３５に記憶される縦姿勢での機能(第２機能)を各カスタムキーＣ１〜Ｃ３に割り当てる。これにより、各姿勢における撮像装置１Ａの操作性が一層向上することとなる。
【０１１６】
以上の撮像装置１Ａの動作により、縦位置コントロールグリップ７が装着された撮像装置１Ａを縦姿勢で把持している右手の指が届く範囲内に配設された各カスタムキーＣ１〜Ｃ３では、撮像装置１Ａの横姿勢・縦姿勢に応じて割り当て機能が切替えられるため、標準姿勢でない縦姿勢での使用時においてもユーザは高い操作性が得られる。さらに、各カスタムキーＣ１〜Ｃ３は、撮像装置１Ａを横姿勢で把持している右手の指が届く範囲内に配設されているため、標準姿勢に対応する横姿勢での使用時についても高い操作性が得られることとなる。
【０１１７】
なお、撮像装置１Ａにおいては、姿勢検出部１３６での検出結果に応じてカスタムキーＣ１〜Ｃ３の割り当て機能が切替えられるが、姿勢検出部１３６では常に安定した姿勢検出を行えるとは限らない。そこで、姿勢検出が不安定な状態に陥っても現時点で検出されている姿勢が横姿勢であるのか縦姿勢であるのかをユーザに伝達できるように、例えば液晶パネル９６に姿勢検出部１３６の検出結果に応じた表示を行わせるのが好ましい。具体的には、姿勢検出部１３６での検出結果が横姿勢の場合には図１３(ａ)のような表示を行い、検出結果が縦姿勢の場合には図１３(ｂ)のような表示を行わせるようにする。これにより、ユーザが液晶パネル９６の表示形態を視認することで、カスタムキーＣ１〜Ｃ３に現在割り当てられている機能を確実に把握できることとなる。
【０１１８】
＜第２実施形態＞
＜撮像装置の要部構成＞
本発明の第２実施形態に係る撮像装置１Ｂは、図１〜３に示す第１実施形態の撮像装置１Ａと同様の外観構成を有しているが、図４に示す撮像装置１Ａの機能構成に対して姿勢検出部１３６が削除された機能構成となっている点が相違している。
【０１１９】
このように撮像装置１Ｂは、姿勢検出部１３６(図４)を備えていないため、第１実施形態のように撮像装置が横姿勢であるのか縦姿勢であるのかを自動的に検出できない。
【０１２０】
そこで、本実施形態の撮像装置１Ｂでは、その姿勢をユーザが撮像装置１Ｂに入力することで、撮像装置１Ｂが横姿勢であるのか縦姿勢であるのかの姿勢の情報を取得する。具体的には、カスタムキーＣ１〜Ｃ３に対する通常押し状態（第１の押下状態）を横姿勢に関連付けるとともに長押し状態（第２の押下状態）を縦姿勢に関連付けることにより、通常押しの場合には撮像装置１Ａが横姿勢であると判断する一方、長押しの場合には撮像装置１Ａが縦姿勢であると判断する。詳細には、カスタムキーＣ１〜Ｃ３の押下期間の相違（長短）に応じて複数の押下状態（ここでは通常押し状態および長押し状態）を区別して検出し、当該複数の押下状態のそれぞれに異なる姿勢を対応付ける。ここでは、例えば１秒より長い期間にわたるカスタムキーの押下状態を「長押し状態」と判定し、１秒以下の短い期間にわたるカスタムキーの押下状態を「通常押し状態」と判定する。
【０１２１】
以上のような撮像装置１Ｂにおいても、第１実施形態と同様にカスタムキーＣ１〜Ｃ３に対する複数の機能割り当てが可能となっている。以下では、この機能割り当てに関する撮像装置１Ｂの動作を説明する。
【０１２２】
図１４は、カスタムキーＣ１〜Ｃ３の割り当て機能に関する設定変更動作を示すフローチャートであり、図１５〜図１９は、背面モニタ１２に表示される各種画面Ｇ２２〜Ｇ２６をそれぞれ示す図である。これらの図を参照しながら、当該設定変更動作について説明する。ここでは、縦姿勢の入力操作に相当する「カスタムキーＣ３」の長押し操作に「再生キー」の機能を割り当てる場合について例示するが、他の割り当て動作についても同様である。
【０１２３】
まず、ユーザがメニューボタン８７を押下すると、撮像装置１は背面モニタ１２にメニュー画面Ｇ１１（図６参照）を表示する（ステップＳＰ２１）。
【０１２４】
その後、ユーザが、複数の選択肢の中から所望の選択肢すなわち「カスタムキー変更」を選択する（ステップＳＰ２２）と、撮像装置１は、「カスタムキー変更」を行うべき旨の指示入力がされたものとみなし、背面モニタ１２に画面Ｇ２２(図１５)を表示する。
【０１２５】
画面Ｇ２２には、現時点での割り当て状態が示されている。詳細には、３つのカスタムキーＣ１〜Ｃ３のそれぞれについて、通常押し状態(第１の押下状態)に対する割り当て内容と長押し状態(第２の押下状態)に対する割り当て内容とが示されている。図１５においては、カスタムキーＣ１の通常押し状態に対して「画サイズ」が割り当てられており、カスタムキーＣ１の長押し状態に対して「ストロボ」が割り当てられている。また、カスタムキーＣ２の通常押し状態に対して「ＷＢ」が割り当てられており、カスタムキーＣ２の長押し状態に対して「メニュー」が割り当てられている。さらに、カスタムキーＣ３の通常押し状態に対して「ＩＳＯ」が割り当てられており、カスタムキーＣ３の長押し状態に対しても「ＩＳＯ」が割り当てられている。
【０１２６】
次に、ユーザは、画面Ｇ２２内に表示される選択肢の中から、マルチセレクタ８３を用いて、変更対象（カスタマイズ対象）のカスタムキー（ここではカスタムキーＣ３）を選択する（ステップＳＰ２３）。当該選択操作に応答して、撮像装置１は、変更対象として選択されたカスタムキーを特定した後に、変更対象となる「押下状態」を選択するための画面Ｇ２３（図１６）を背面モニタ１２に表示する。
【０１２７】
ユーザは、画面Ｇ２３に表示される選択肢の中から、マルチセレクタ８３を用いて、変更対象の「押下状態」（ここでは「長押し」）を選択する（ステップＳＰ２４）。当該選択操作に応答して、撮像装置１は、変更対象として選択された押下状態を特定し、今度は、割り当て可能な機能をリスト表示する画面Ｇ２４（図１７）を背面モニタ１２に表示する。
【０１２８】
ユーザは、画面Ｇ２４に表示される選択肢の中から、マルチセレクタ８３を用いて、割り当てるべき機能を選択する（ステップＳＰ２５）。
【０１２９】
この選択操作に応答して、撮像装置１は、割り当て対象としてユーザによって選択された機能を特定し、選択内容を確認する画面Ｇ２５（図１８）を表示する（ステップＳＰ２６）。図１８の画面Ｇ２５においては、「カスタムキーＣ３の長押し操作に再生キーをアサインする」という設定内容で良いか否かを確認すべき旨が表示されている。
【０１３０】
ユーザによって設定内容が正しくない旨が入力されると、ステップＳＰ２５に戻り、再び割り当て機能の再選択動作に移行する。一方、ユーザによって設定内容が正しい旨が入力されると、ステップＳＰ２７に進む。
【０１３１】
ステップＳＰ２７においては、撮像装置１は、ステップＳＰ２３で選択されたカスタムキーのステップＳＰ２４で選択された押下状態に対して、ステップＳＰ２５で選択された機能を割り当てるべく、新たな設定内容を記憶する。詳細には、不揮発性メモリ１３５内に記憶されていた設定内容を新たな設定内容で上書きして、設定内容を更新する。その後、撮像装置１Ｂは、「カスタムキー変更」動作を終了し、背面モニタ１２はメニューボタン８７押下前の表示状態に戻る（ステップＳＰ２８）。
【０１３２】
上記のような設定変更動作が終了すると、図１９に示す画面Ｇ２６のように各カスタムキーＣ１〜Ｃ３の割り当て内容が変更されている。当該設定変更後においては、新たな割り当て内容に依拠し、各カスタムキーＣ１〜Ｃ３の押下に応答して、押下されたキーおよび当該キーの押下状態（通常押しまたは長押し）に対応する機能が実行される。
【０１３３】
以上のように各カスタムキーＣ１〜Ｃ３に２つの機能が設定された撮像装置１Ｂの動作を、以下で説明する。
【０１３４】
＜撮像装置１Ｂの動作＞
図２０は、撮像装置１Ｂの基本的な動作を示すフローチャートである。本動作については、撮像装置１Ｂの全体制御部により実行される。
【０１３５】
まず、ユーザがメインスイッチ８１を操作して電源がオンにされると、撮像装置１Ｂを起動するための処理(初期化処理)が行われる(ステップＳＴ２１)。
【０１３６】
ステップＳＴ２２では、図１２のステップＳＴ１２と同様に、撮影モードに設定されているかを判定する。ここで、撮影モードに設定されている場合には、ステップＳＴ２３に進み、撮影モードに設定されていない場合には、本フローを終了する。
【０１３７】
ステップＳＴ２３では、カスタムキーＣ１〜Ｃ３のうちいずれかのキーがユーザによって押下されたかを判定する。ここで、カスタムキーが押下された場合には、ステップＳＴ２４に進み、押下されていない場合には、ステップＳＴ２２に戻る。
【０１３８】
ステップＳＴ２４では、カスタムキーが長押しされたかを判定する。ここでは、例えば１秒より長い期間にわたるカスタムキーの押下状態の場合に、長押しと判断する。ここで、カスタムキーが長押しされた場合には、ステップＳＴ２５に進み、長押しではなく通常押しの場合には、ステップＳＴ２６に進む。
【０１３９】
ステップＳＴ２５では、押下されたカスタムキーに対して長押し状態の機能を割当てる処理を行う。例えば図１９に示す機能設定がなされている状態でカスタムキーＣ３が押下された場合には、「再生」の機能が割当てられることとなる。
【０１４０】
ステップＳＴ２６では、押下されたカスタムキーに対して通常押し状態の機能を割当てる処理を行う。例えば図１９に示す機能設定がなされている状態でカスタムキーＣ３が押下された場合には、「ＩＳＯ」の機能が割当てられることとなる。
【０１４１】
以上の撮像装置１Ｂの動作により、縦位置コントロールグリップ７が装着された撮像装置１Ａを横姿勢・縦姿勢で把持している右手の指が届く各範囲内に配設された各カスタムキーＣ１〜Ｃ３では、ユーザが入力する撮像装置１Ａの横姿勢・縦姿勢の情報に応じて割り当て機能が切替えられるため、標準姿勢に対応する横姿勢での使用時のみならず、標準姿勢でない縦姿勢での使用時においてもユーザは高い操作性が得られる。
【０１４２】
また、撮像装置１Ｂにおいては、各カスタムキーＣ１〜Ｃ３に対するユーザの通常押し操作・長押し操作に応じて撮像装置１Ｂに関する姿勢の情報を取得するため、撮像装置に姿勢検出センサがない場合でも、撮像装置の姿勢に応じた機能割り当てを行えることとなる。
【０１４３】
なお、撮像装置１Ｂにおいては、カスタムキーに対する通常押し・長押しを区別して複数の割り当て機能を使い分けるのは必須でなく、例えばキーの半押し・深押しや、シングルクリック・ダブルクリックを複数の割り当て機能を使い分けるようにしても良い。
【０１４４】
＜変形例＞
・上記の各実施形態における各カスタムキーＣ１〜Ｃ３への割り当て対象となる機能は、上述の各ボタン８４，８５，８６，８７，８８ａ〜８８ｄ，９２，９３，９４ａ〜９４ｄ等に割り当てられている機能に限定する必要はなく、撮像装置に設けられた上記以外のボタンに割り当てられている機能を、カスタムキーに割り当てるようにしてもよい。
【０１４５】
また、撮像装置に設けられたボタン以外の種類の操作部材（例えば、スライドスイッチ、ダイヤル等）に割り当てられている機能を、カスタムキーに割り当てるようにしてもよい。なお、ボタン以外の操作部材の機能をカスタムキーに割り当てる場合には、操作部材の相違を考慮して上記の思想を適用すればよい。例えば、或るダイヤルの機能をカスタムキーに割り当てる場合には、回転操作に応じた設定操作を、カスタムキーのボタン押下操作に応じた設定操作に置き換えるように構成すればよい。すなわち、ダイヤルの回転操作ではなく、カスタムキーの押下操作に応じて設定内容を変更するようにすればよい。
【０１４６】
・上記の各実施形態においては、撮像装置に縦位置コントロールグリップ７を装着するのは必須でなく、縦位置コントロールグリップ７を装着しないようにしても良い。この場合には、撮像装置を縦姿勢で把持している右手の指（例えば人差し指）によるシャッターボタン１１の操作が難しくなるものの、撮像装置を縦姿勢で把持する右手の指（例えば親指）が届く範囲内に配設されているカスタムキーＣ１〜Ｃ３に対しての高い操作性は得られることとなる。
【０１４７】
・上記の第１実施形態における撮像装置１Ａに対して、第２実施形態におけるカスタムキーの通常押し・長押しに応じた２つの機能割り当ての構成を付加しても良い。これにより、各姿勢(横姿勢または縦姿勢)において通常押し・長押しの区別による複数の機能を更に割当てることが可能となる。
【０１４８】
・本発明については、上述した撮像装置に限らず、ＰＤＡ（Personal Digital Assistants）等を含む電子機器に適用することが可能である。
【図面の簡単な説明】
【０１４９】
【図１】縦位置コントロールグリップ７を装着した、本発明の第１実施形態に係る撮像装置（横姿勢）１Ａを示す背面外観図である。
【図２】撮像装置１Ａの上面外観図である。
【図３】縦位置コントロールグリップ７を装着した撮像装置（縦姿勢）１Ａを示す背面外観図である。
【図４】撮像装置１Ａの機能構成を示すブロック図である。
【図５】カスタムキーＣ１〜Ｃ３の割り当て機能の設定変更動作を示すフローチャートである。
【図６】背面モニタ１２の表示画面Ｇ１１を示す図である。
【図７】背面モニタ１２の表示画面Ｇ１２を示す図である。
【図８】背面モニタ１２の表示画面Ｇ１３を示す図である。
【図９】背面モニタ１２の表示画面Ｇ１４を示す図である。
【図１０】背面モニタ１２の表示画面Ｇ１５を示す図である。
【図１１】背面モニタ１２の表示画面Ｇ１６を示す図である。
【図１２】撮像装置１Ａの基本的な動作を示すフローチャートである。
【図１３】姿勢検出部１３６での検出結果に応じた液晶パネル９６の表示を説明するための図である。
【図１４】本発明の第２実施形態に係る撮像装置１ＢにおけるカスタムキーＣ１〜Ｃ３の割り当て機能の設定変更動作を示すフローチャートである。
【図１５】背面モニタ１２の表示画面Ｇ２２を示す図である。
【図１６】背面モニタ１２の表示画面Ｇ２３を示す図である。
【図１７】背面モニタ１２の表示画面Ｇ２４を示す図である。
【図１８】背面モニタ１２の表示画面Ｇ２５を示す図である。
【図１９】背面モニタ１２の表示画面Ｇ２６を示す図である。
【図２０】撮像装置１Ｂの基本的な動作を示すフローチャートである。
【符号の説明】
【０１５０】
１Ａ、１Ｂ  撮像装置
２  カメラ本体部
７  縦位置コントロールグリップ
１１  シャッターボタン
１２  背面モニタ
１４  グリップ部
７２、９２  モード設定ボタン
７３、８３  マルチセレクタ
７４、８４  ＡＦ／ＭＦコントロールボタン
７５、８５  ＡＥロックボタン
８１  メインスイッチ
８６  再生ボタン
８７  メニューボタン
９６  液晶パネル
Ｃ１〜Ｃ３  カスタムキー（カスタムボタン）
【図１】
2008242212.tif 000003
【図２】
2008242212.tif 000004
【図３】
2008242212.tif 000005
【図４】
2008242212.tif 000006
【図５】
2008242212.tif 000007
【図６】
2008242212.tif 000008
【図７】
2008242212.tif 000009
【図８】
2008242212.tif 000010
【図９】
2008242212.tif 000011
【図１０】
2008242212.tif 000012
【図１１】
2008242212.tif 000013
【図１２】
2008242212.tif 000014
【図１４】
2008242212.tif 000015
【図１５】
2008242212.tif 000016
【図１６】
2008242212.tif 000017
【図１７】
2008242212.tif 000018
【図１８】
2008242212.tif 000019
【図１９】
2008242212.tif 000020
【図２０】
2008242212.tif 000021
【図１３】
2008242212.tif 000022